(57)【要約】【課題】気密性能維持したまま風路抵抗を小さくなり、ファン、モーターへの負荷を小さくすることのできるシャッター装置を提供することを目的とする。【解決手段】送られてくる風が流入する側に接続される流入側接続口１と、送られてきた風を流出させる側に接続される流出側接続口３との間に設けられるシャッター取付部４を設け、このシャッター取付部４の内側に嵌挿し、流出側接続口３から侵入する外風を防止するシャッター５を取り付けるシャッター取付枠６とを備え、シャッター５が閉鎖したときにシャッター取付部４の内側との間で形成される隙間を遮蔽するリブ部８が、流出側接続口３から正面視したときにリブ部８が流出側接続口３の内径とほぼ同径であるシャッター装置であって、気密性能維持したまま風路抵抗を小さくし、ファン、モーターへの負荷を小さくすることのできるシャッター装置を提供できる。【選択図】図１
2008070048.tif 000002
【特許請求の範囲】
【請求項１】
送られてくる風が流入する側に接続される流入側接続口と、送られてきた風を流出させる側に接続される流出側接続口と、前記流入側接続口と流出側接続口との間に設けられる前記流出側接続口の内径より大きいシャッター取付部を設け、このシャッター取付部の内側に嵌挿し、ほぼシャッター取付部と前記流出側接続口の径との段差内に納まり、前記流出側接続口から侵入する外風を防止するシャッターを取り付けるシャッター取付枠とを備え、前記シャッターを支持するシャッター支持軸が前記流出側接続口と前記段差部に位置し、前記シャッターが閉鎖したときに前記シャッターと前記シャッター取付部の内側との間で形成される隙間を遮蔽するリブ部が前記シャッターと当接するものであって、前記シャッター取付枠は、前記リブ部が前記シャッター支持軸に対し、上端部は前記流入側接続口側に設けられ、下端部は、前記流出側接続口側に設けられ、前記上端部と下端部の間は、前記シャッター取付部と流出側接続口との段差を境界として、前記リブ部の当接箇所が流出側接続口方向と流入側接続口方向に位置が切り替わる構成を特徴とするシャッター装置。
【請求項２】
シャッターの左右端部には、シャッター開口時に流出側接続口から正面視したときにほぼ前記流出側接続口の内径と同径に合わせて湾曲形状に曲げたものであって、シャッター取付枠には、この湾曲形状部の輪郭に合わせてシャッター閉鎖時に当接する当接リブ部を設けたことを特徴とする請求項１記載のシャッター装置。
【請求項３】
前記シャッターの左右の湾曲部は、シャッターの閉鎖時に当接リブ部に対して合致するようにして設けたこと特徴とする請求項１および２記載のシャッター装置。
【請求項４】
湾曲部は、シャッターの側面視において、シャッターの面に対して垂直方向であって、シャッターの湾曲部のＲ部の頂点を通る軸線に対して、前記シャッターのＲ形状が非対称であり、前記軸線に対してシャッター支持軸がある側のＲを小さく形成したことを特徴とする請求項１〜３のいずれかに記載のシャッター装置。
【請求項５】
材質が金属製であることを特徴とする請求項１および２記載のシャッター装置。
【請求項６】
シャッターが金属製で、シャッター取付枠に設けられたシャッター支持軸部に挿入する前記シャッターに設けられる挿入孔を形成加工する際に発生するバリ等が前記シャッター支持軸部に接触しない形状であることを特徴とする請求項４記載のシャッター装置。
【請求項７】
シャッター支持軸の軸線に対して垂直方向のシャッター最外端部に衝突緩衝用のパッキンを巻きつけて貼ることを特徴とする請求項１および２のシャッター装置。
【請求項８】
材質が樹脂製であることを特徴とする請求項１および２記載のシャッター装置。
【請求項９】
シャッター取付部にシャッター取付枠の形状を形成したことを特徴とする請求項１〜３のいずれかに記載のシャッター装置。
【請求項１０】
流入側接続口にその吐出口を、流出側接続口にダクトを接続して換気を行なうことを特徴とする請求項１〜９のいずれかに記載の換気装置。
【発明の詳細な説明】
【技術分野】
【０００１】
本発明は、送られてくる風が流入する側に接続される流入側接続口と、送られてきた風を流出させる側に接続される流出側接続口と、前記流出側接続口から侵入する外風を防止するシャッターを備えたシャッター装置に関する。
【背景技術】
【０００２】
従来、この種のシャッター装置は、送られてきた風を屋外に連通するダクトを介して排出する換気装置であって、シャッター装置が前記換気装置に具備されたものが知られている（例えば、特許文献１参照）。
【０００３】
以下、そのシャッター装置について図６および図７を参照しながら説明する。
【０００４】
図に示すように、送られてきた風が流入する流入側接続口１０１と送られてきた風を流出させる側に接続される流出側接続口１０２と外風防止用のシャッター１０４からなり、シャッター１０４を取付けるシャッター支持軸１０３を備えるアダプター１０５から構成される。また、シャッター１０４が閉鎖時に風路内に形成されるシャッター１０４と流出側接続口１０２の内側面との間の隙間を無くす、シャッター１０４と当接するリブ部１０６を備えている。リブ部１０６は、シャッター支持軸１０３に対し、シャッター１０４上端部とは、流入側接続口１０１側で当接し、シャッター１０４下端部は、流出側接続口１０２側で当接する構成となっており、流出側接続口１０２側のリブ部１０６は、流出側接続口１０２の内径、すなわち風路内側に突出している構成である。
【特許文献１】特開２００３−０６５５８１号公報
【発明の開示】
【発明が解決しようとする課題】
【０００５】
このような従来のシャッター装置では、シャッターが開放している状態で、流出側接続口より正面視したときに、気密性能の向上させるためにシャッター閉鎖時にシャッターと当接し、隙間をなくすように設けたリブ部が風路内側に突出しているため、風路抵抗は増加し、風の流れの流れを妨げてしまい、所望の風量を確保するために、ファン、モーターへの負荷を増大させて、出力を大きくなければならないという課題があった。このために、気密性能を維持しながらファン、モーターへの負荷を低減することが要求されている。
【０００６】
本発明は、このような従来の課題を解決するものであり、気密性能維持したまま風路抵抗を小さくし、ファン、モーターへの負荷を小さくすることのできるシャッター装置を提供することを目的としている。
【課題を解決するための手段】
【０００７】
本発明のシャッター装置は上記目的を達成するために、送られてくる風が流入する側に接続される流入側接続口と、送られてきた風を流出させる側に接続される流出側接続口と、前記流入側接続口と流出側接続口との間に設けられる前記流出側接続口の内径より大きいシャッター取付部を設け、このシャッター取付部の内側に嵌挿し、ほぼシャッター取付部と前記流出側接続口の径との段差内に納まり、前記流出側接続口から侵入する外風を防止するシャッターを取り付けるシャッター取付枠とを備え、前記シャッターを支持するシャッター支持軸が前記流出側接続口と前記段差部に位置し、前記シャッターが閉鎖したときに前記シャッターと前記シャッター取付部の内側との間で形成される隙間を遮蔽するリブ部が前記シャッターと当接するものであって、前記シャッター取付枠は、前記リブ部が前記シャッター支持軸に対し、上端部は前記流入側接続口側に設けられ、下端部は、前記流出側接続口側に設けられ、前記上端部と下端部の間は、前記シャッター取付部と流出側接続口との段差を境界として、前記リブ部の当接箇所が流出側接続口方向と流入側接続口方向に位置が切り替わる構成としたものである。
【０００８】
この手段により、風路抵抗を小さくすることができるシャッター装置が得られる。
【０００９】
また、他の手段は、シャッターの左右端部には、シャッター開口時に流出側接続口から正面視したときにほぼ前記流出側接続口の内径と同径に合わせて湾曲形状に曲げたものであって、シャッター取付枠のリブ部には、この湾曲形状部の輪郭に合わせてシャッター閉鎖時に当接する当接リブ部を設ける構成としたものである。
【００１０】
この手段により、風圧によるシャッターを開かせる力を有効に働かせることができ、シャッターを開かせる際に小さな風圧でシャッタを開かせることができる、すなわちシャッター抵抗が小さいシャッター装置が得られる。
【００１１】
また、他の手段は、前記シャッターの左右の湾曲部は、シャッターの閉鎖時に当接リブ部に対して合致するようにして設けた構成としたものである。
【００１２】
この手段により、遮閉効果の確実性が増したシャッター装置が得られる。
【００１３】
また、他の手段は、湾曲部は、シャッターの側面視において、シャッターの面に対して垂直方向であって、シャッターの湾曲部のＲ部の頂点を通る軸線に対して、前記シャッターのＲ形状が非対称であり、前記軸線に対してシャッター支持軸がある側のＲを小さく形成したものである。
【００１４】
この手段により、シャッターが開き易くなる、すなわちシャッターが開く際の抵抗が小さいシャッター装置を得ることができる。
【００１５】
また、他の手段は、材質が金属製としたものである。
【００１６】
この手段により、シャッターが開いたとき、風の受けるシャッター厚み部分が小さくなり、風路抵抗をより小さくしたシャッター装置が得られる。
【００１７】
また、他の手段は、シャッターが金属製で、シャッター取付枠に設けられたシャッター支持軸部に挿入する前記シャッターに設けられる挿入孔を形成加工する際に発生するバリ等が前記シャッター支持軸部に接触しない形状であることを特徴としたものである。
【００１８】
この手段により、摩擦抵抗の小さい、すなわちシャッターが開く際の抵抗が小さいシャッター装置が得られる。
【００１９】
また、他の手段は、シャッター支持軸の軸線に対して垂直方向のシャッター最外端部に衝突緩衝用のパッキンを巻きつけて貼る構成としたものである。
【００２０】
また、他の手段は、材質が樹脂製としたものである。
【００２１】
この手段により、安価で風路抵抗の小さいシャッター装置が得られる。また、閉鎖時の衝突による発生音を低減させたシャッター装置を得ることができる。
【００２２】
また、他の手段は、シャッター取付部にシャッター取付枠の形状を形成する構成としたものである。
【００２３】
この手段により、組み立て工数の少ない安価なシャッター装置を得ることができる。
【００２４】
また、他の手段は、流入側接続口にその吐出口を、流出側接続口にダクトを接続して換気を行なうことを特徴とする換気装置である。
【００２５】
この手段により、気密性能が高く、風路抵抗が小さい、すなわちファン、モーターにかかる負荷が小さいシャッター装置を有した換気装置および換気部を得ることができる。
【発明の効果】
【００２６】
本発明のシャッター装置によれば、送られてくる風が流入する側に接続される流入側接続口と、送られてきた風を流出させる側に接続される流出側接続口と、前記流入側接続口と流出側接続口との間に設けられる前記流出側接続口の内径より大きいシャッター取付部を設け、このシャッター取付部の内側に嵌挿し、ほぼシャッター取付部と前記流出側接続口の径との段差内に納まり、前記流出側接続口から侵入する外風を防止するシャッターを取り付けるシャッター取付枠とを備え、前記シャッターを支持するシャッター支持軸が前記流出側接続口と前記段差部に位置し、前記シャッターが閉鎖したときに前記シャッターと前記シャッター取付部の内側との間で形成される隙間を遮蔽するリブ部が前記シャッターと当接するものであって、前記シャッター取付枠は、前記リブ部が前記シャッター支持軸に対し、上端部は前記流入側接続口側に設けられ、下端部は、前記流出側接続口側に設けられ、前記上端部と下端部の間は、前記シャッター取付部と流出側接続口との段差を境界として、前記リブ部の当接箇所が流出側接続口方向と流入側接続口方向に位置が切り替わる構成で、シャッターが開いたときに、流出側接続口から正面視したときの風路内において、シャッター取付枠のリブ部が風の流れを妨げるものとして存在しないため、風路面積を大きくとり、風路を有効に活用でき、風路抵抗を小さくできるという効果のあるシャッター装置を提供できる。
【００２７】
また、シャッターの左右端部には、シャッター開口時に流出側接続口から正面視したときにほぼ前記流出側接続口の内径と同径に合わせて湾曲形状に曲げたものであって、シャッター取付枠のリブ部には、この湾曲形状部の輪郭に合わせてシャッター閉鎖時に当接する当接リブ部を設けることで、シャッターの左右端部が湾曲に曲がる為、風路面積、すなわちダクト内径面積よりもシャッターの総面積が大きくなることで、シャッターの風を受ける面積が風路面積より大きくなり、風圧によるシャッターを開かせる力を効果的に働かせることができ、シャッターを開かせる際に小さな風圧で開かせることができるという効果のあるシャッター装置を提供できる。
【００２８】
また、前記シャッターの左右の湾曲部は、シャッターの閉鎖時にリブ部に対して合致するようにして設けたことで、シャッター閉鎖時に、シャッターが外風を受けたときにシャッターがシャッター取付枠の方向へ向う力が発生する。このときに前記シャッターと前記シャッター取付枠のリブ部に設けた当接リブ部とが接触し合う箇所を平面と平面で当接することにより、遮閉効果の確実性が増すという効果のあるシャッター装置を提供できる。
【００２９】
また、湾曲部は、シャッターの側面視において、シャッターの面に対して垂直方向であって、シャッターの湾曲部のＲ部の頂点を通る軸線に対して、前記シャッターのＲ形状が非対称であり、前記軸線に対してシャッター支持軸がある側のＲを小さく形成したことで、シャッターのＲ形状が非対称になっており、風がＲ形状のシャッター取付枠に当たったときにＲが大きい方の形状に沿って流れ、シャッター支持軸に対して距離が大きい部分のシャッター面に風が集中するようになり、このときの風圧によって発生するシャッターを開かせる力、すなわちトルクを大きく作用させることとなり、シャッターが開き易くなるという効果のあるシャッター装置を提供できる。
【００３０】
また、材質が金属製であることで、樹脂製のシャッターは、成形時の樹脂射出による流れがシャッターの厚みに関係するため、シャッター厚みを薄くすると樹脂が流れず成形できない場合があるが、金属製シャッターであれば、シャッターの厚みの形成は、シャッター自体の材質の厚みに起因するため、樹脂製シャッターより金属製シャッターは薄くでき、シャッターが開いたとき、風の受けるシャッター厚み部分が小さくなり、風路抵抗をより小さなるという効果のあるシャッター装置を提供できる。
【００３１】
また、シャッターが金属製で、シャッター取付枠に設けられたシャッター支持軸部に挿入する前記シャッターに設けられる挿入孔を形成加工する際に発生するバリ等が前記シャッター支持軸部に接触しない形状であることで、シャッターが可動する際にシャッターの支持軸挿入孔とシャッター支持軸が接触したときに、金属製シャッターの形状を加工するときに発生するバリと接触しなくなり、摩擦抵抗の小さいとう効果のあるシャッター装置を提供できる。
【００３２】
また、シャッター支持軸の軸線に対して垂直方向のシャッター最外端部に衝突緩衝用のパッキンを巻きつけて貼ることで、シャッター最外端部に正面から前記シャッターの裏面に渡りパッキンを貼り付けるので、シャッター閉鎖時のシャッター取付枠のリブ部との間にパッキンが確実に存在するので、閉鎖時の衝突による発生音を低減させるという効果のあるシャッター装置を提供できる。
【００３３】
また、材質が樹脂製であることで、樹脂成形において使用する樹脂材料は、ほぼシャッターと同体積の量で作成することができ、廃材料が少ないため、安価で風路抵抗の小さいシャッター装置が得られるという効果のあるシャッター装置を提供できる。
【００３４】
また、シャッター取付部にシャッター取付枠の形状を形成した構成とすることで、シャッター取付枠とシャッター取付部とが一つの構成部品となり、部品数を少なくとも１つ減らすことができ、組み立て工数の少ない安価になるという効果のあるシャッター装置を提供できる。
【００３５】
また、流入側接続口にその吐出口を、流出側接続口にダクトを接続して換気を行なうことを特徴とする換気装置、または換気部を設けている装置において、請求項１〜９のいずれかのシャッター装置を具備することで、気密性能が高く、風路抵抗が小さい、すなわちファン、モーターにかかる負荷が小さいシャッター装置を有した換気装置および換気部を提供することができる。
【発明を実施するための最良の形態】
【００３６】
本発明の請求項１記載のシャッター装置は、送られてくる風が流入する側に接続される流入側接続口と、送られてきた風を流出させる側に接続される流出側接続口と、前記流入側接続口と流出側接続口との間に設けられる前記流出側接続口の内径より大きいシャッター取付部を設け、このシャッター取付部の内側に嵌挿し、ほぼシャッター取付部と前記流出側接続口の径との段差内に納まり、前記流出側接続口から侵入する外風を防止するシャッターを取り付けるシャッター取付枠とを備え、前記シャッターを支持するシャッター支持軸が前記流出側接続口と前記段差部に位置し、前記シャッターが閉鎖したときに前記シャッターと前記シャッター取付部の内側との間で形成される隙間を遮蔽するリブ部が前記シャッターと当接するものであって、前記シャッター取付枠は、前記リブ部が前記シャッター支持軸に対し、上端部は前記流入側接続口側に設けられ、下端部は、前記流出側接続口側に設けられ、前記上端部と下端部の間は、前記シャッター取付部と流出側接続口との段差を境界として、前記リブ部の当接箇所が流出側接続口方向と流入側接続口方向に位置が切り替わる構成としたものであり、シャッターが開いたときに、流出側接続口から正面視したときの風路内において、シャッター取付枠のリブ部が風の流れを妨げるものとして存在しないため、風路面積を大きくとり、風路を有効に活用できるという作用を有する。
【００３７】
また、シャッターの左右端部には、シャッター開口時に流出側接続口から正面視したときにほぼ前記流出側接続口の内径と同径に合わせて湾曲形状に曲げたものであって、シャッター取付枠のリブ部には、この湾曲形状部の輪郭に合わせてシャッター閉鎖時に当接する当接リブ部を設けたものであり、シャッターの左右端部が湾曲に曲がる為、風路面積、すなわちダクト内径面積よりもシャッターの総面積が大きくなることで、シャッターの風を受ける面積が大きくなるという作用を有する。
【００３８】
また、前記シャッターの左右の湾曲部は、シャッターの閉鎖時に当接リブ部に対して合致するようにして設けたものであり、シャッター閉鎖時に、シャッターが外風を受けたときにシャッターがシャッター取付枠の方向へ向う力が発生し、このときに前記シャッターと前記シャッター取付枠に設けたリブ部とが接触し合う箇所を平面と平面で当接し密着するという作用を有する。
【００３９】
また、湾曲部は、シャッターの側面視において、シャッター面に対して垂直方向であって、シャッターの湾曲部のＲ部の頂点を通る軸線に対して、前記シャッターのＲ形状が非対称であり、前記軸線に対してシャッター支持軸がある側のＲを小さく形成したものであり、シャッターのＲ形状が非対称になっており、風がＲ形状のシャッター取付枠に当たったときにＲが大きい方の形状に沿って流れ、シャッター支持軸に対して距離が大きい部分のシャッター面に風が集中するようになり、風によって発生するシャッターを開かせる力、すなわちトルクが大きく働かせるという作用を有する。
【００４０】
また、材質が金属製としたものであり、樹脂製のシャッターは、成形時の樹脂射出による流れがシャッターの厚みに関係するため、シャッター厚みを薄くすると樹脂が流れず成形できない場合があるが、金属製シャッターであれば、シャッターの厚みの形成は、シャッター自体の材質の厚みに起因するため、樹脂製シャッターより金属製シャッターは薄くできるという作用を有する。
【００４１】
また、シャッターが金属製で、シャッター取付枠に設けられたシャッター支持軸部に挿入する前記シャッターに設けられる挿入孔を形成加工する際に発生するバリ等が前記シャッター支持軸部に接触しない形状としたものであり、シャッターが可動する際にシャッターの支持軸挿入孔とシャッター支持軸が接触したときに、金属製シャッターの形状を加工するときに発生するバリと接触しなくなるという作用を有する。
【００４２】
また、シャッター支持軸の軸線に対して垂直方向のシャッター最外端部に衝突緩衝用のパッキンを巻きつけて貼るものであり、シャッター最外端部に正面から前記シャッターの裏面に渡りパッキンを貼り付けるので、シャッター閉鎖時のシャッター取付枠のリブ部との間で衝突音を緩衝させるという作用を有する。
【００４３】
また、材質が樹脂製としたものであり、樹脂成形において使用する樹脂材料は、ほぼシャッターと同体積の量で作成することができ、廃材料が少くなるという作用を有する。
【００４４】
また、シャッター取付部にシャッター取付枠の形状を形成したものであり、シャッター取付枠とシャッター取付部とが一つの構成部品となり、部品数を少なくとも１つ減らすことができるという作用を有する。
【００４５】
また、流入側接続口にその吐出口を、流出側接続口にダクトを接続して換気を行なうことを特徴とする換気装置、または換気部を設けている装置であり、ダクト接続することを特徴とする換気装置、または換気部を設けている装置において、シャッター装置を具備することができるという作用を有する。
【００４６】
以下、本発明の実施の形態について図面を参照しながら説明する。
【００４７】
（実施の形態１）
図１〜図５に示すように、下面に吸込口１３を有し、最低１箇所以上の側部に換気装置１７の内部に具備される送風機により、前記吸込口１３より吸込まれた空気が換気装置１７の吐出口に送られ、前記換気装置１７の吐出口とシャッター装置１９の流入側接続口１と接続されるシャッター装置１９を具備した換気装置１７を構成する。換気装置１７は、天井張り板１４に設けられた埋め込み口１５より天井裏１２に入れて、前記換気装置１７が具備するシャッター装置１９の流出側接続口３に屋外１６へ風を排出するためのダクト２と連通するように配設される。
【００４８】
次に換気装置１７に具備されたシャッター装置１９は、送られてくる風が流入する側に接続される流入側接続口１と、送られてきた風を流出させる側に接続される流出側接続口３と、前記流入側接続口１と流出側接続口３との間に設けられる前記流出側接続口３の内径より大きいシャッター取付部４を設け、このシャッター取付部４の内側に嵌挿し、ほぼシャッター取付部４と前記流出側接続口３の径との段差内に納まり、前記流出側接続口３から侵入する外風を防止するシャッター５を取り付けるシャッター取付枠６とを備え、前記シャッター５を支持するシャッター支持軸９が前記流出側接続口３と前記シャッター取付部４との径の違いで設けられた段差部に位置し、前記シャッター５が閉鎖したときに前記シャッター５と前記シャッター取付部４の内側との間で形成される隙間を遮蔽するリブ部８が前記シャッター５と当接するものであって、前記リブ部８が前記シャッター支持軸９に対し、上端部は前記流入側接続口１側に設けられ、下端部は、前記流出側接続口３側に設けられ、下端部は流出側接続口３の内側にリブの厚み分突出している構成であって、前記上端部と下端部の間は、前記シャッター取付部４と流出側接続口３との段差を境界として、前記リブ部８の当接箇所が流出側接続口３方向と流入側接続口１方向に位置が切り替わる構成である前記シャッター取付枠６であって、前記流出側接続口３から正面視したときに前記シャッター取付枠６に設けられたリブ部８が前記流出側接続口３の内径とほぼ同径で、シャッター５の左右端部には、シャッター５開口時に流出側接続口３から正面視したときにほぼ前記流出側接続口３の内径と同径に合わせて湾曲形状に曲げた湾曲形状部７を設けたものであって、シャッター取付枠６のリブ部８には、前記湾曲形状部７の輪郭の形状に合わせてシャッター５閉鎖時に当接する当接リブ部１１を前記段差から流入側接続口１方向へ向けて頂点を有するＲ形状に形成して設けてある。
【００４９】
また、シャッター５が金属製で、シャッター取付枠６に設けられたシャッター支持軸９に挿入する前記シャッター５に設けられる挿入孔２１を形成加工する際に発生するバリ等が前記シャッター支持軸９に接触しないようにシャッター５の内側へ向けたバーリング形状２０である。なお、カール形状であっても同様の効果が得られる。
【００５０】
また、シャッター５の閉鎖時に前記シャッター５とシャッター取付枠６に設けられた当接リブ部１１とが当接する箇所を、前記シャッター５の左右の湾曲形状部７は、外風を受ける反対面に対して平行に接触するような形状を設けてある。
【００５１】
また、ダクト２の長手方向より見た場合、すなわち側面視した場合にシャッター５の面に対して垂直方向であって、シャッター５の左右の湾曲形状部７のＲ部１０の頂点を通る軸線に対して、前記シャッター左右端部のＲ部１０の形状が非対称であり、前記軸線に対してシャッター支持軸９がある側のＲ半径が小さいものであって、シャッター取付枠６のリブ部８に設けられた前記シャッター５閉鎖時に当接する当接リブ部１１が前記シャッター５のＲ部１０の形状に合致させた構成である。
【００５２】
また、この当接リブ部１１の裏面の形状も前記Ｒ部１０の形状に略合致させたものである。
【００５３】
また、外風を受けて、シャッター５が閉鎖するときに前記シャッター５とシャッター取付枠６に設けられたリブ部８とが当接する際に前記シャッター５と前記リブ部８との間に介在するように設けられた、シャッター支持軸９の軸線に対して垂直方向のシャッター５最外端部に衝突緩衝用のパッキンを巻きつけて貼った構成である。パッキンは上端側、下端側の両方に貼ってもよい。図において、パッキンは省略している。
【００５４】
また、シャッター装置１９の流出側接続口３から侵入する外風を防止するシャッター５が樹脂性であっても同様の効果が得られる。
【００５５】
また、送られてくる風が流入する側に接続される流入側接続口１と、送られてきた風を流出させる側に接続される流出側接続口３と、前記流入側接続口１と流出側接続口３との間に設けられる前記流出側接続口３の内径より大きいシャッター取付部４を設け、このシャッター取付部４の内側に、前記流出側接続口３から侵入する外風を防止するシャッター５を取り付けるシャッター取付枠６とを備える構成であっても同様の効果が得られる。
【００５６】
上記構成により、換気装置１７の内部に設けられた送風機が停止しているときに、外風がダクト２を介して換気装置１７方向に向かい侵入すると、閉鎖しているシャッター５は、外風を受けたときにシャッター取付枠６の方向へ向う力をうけて、このときに前記シャッター５と前記シャッター取付枠６に設けたリブ部８および当接リブ部１１とが接触し合う箇所は、平面と平面で当接し密着して隙間から侵入する外風を防ぐこととなる。
【００５７】
また、換気装置１７の内部に設けられた送風機が運転し、屋外１６へダクト２を介して排出するときに、風圧によりシャッター５が開いたときに、流出側接続口３から正面視したときの風路内において、シャッター取付枠６のリブ部８およびシャッター取付部４に設けた当接リブ部１１が流出側接続口３の内径と略同径にすることができる、すなわち風路内側に突出しないため、風の流れを妨げることがなく、風路面積を大きく確保して、風路を有効に活用でき、風路抵抗も小さくすることとなる。
【００５８】
また、換気装置１７の内部に設けられた送風機が運転したときに、風圧でシャッターが開くときにシャッター５の左右端部が湾曲に曲がっているため、風路面積、すなわちダクト２内径面積よりもシャッター５の総面積が大きくなることで、シャッター５の風を受ける面積が風路面積より大きくすることが可能となり、風圧によるシャッター５を開かせる力を大きく作用させることができ、シャッター５を開かせる際に必要な力を有効に働かせ、確実にシャッター５を開くことができる。
【００５９】
また、シャッター５が開く際に、シャッター支持軸９を軸としてシャッター５が開動するが、シャッター５が開き方向に可動する際にシャッター支持軸９と挿入孔２１の内側面とシャッター支持軸９が接触したときに、単純な打ち抜き加工により形成される孔で発生するバリなどが、金属製のシャッター５の形状、すなわちバーリング形状にすることで、加工するときに発生するバリがシャッター支持軸９に向って発生しないようにすることができるのでシャッター支持軸９との接触を少なくして、摩擦抵抗の小さい、すなわちシャッターが開く際の抵抗を小さくすることができる。
【００６０】
また、換気装置１７の送風機が停止しているときのシャッター５閉鎖時に、シャッター５が外風を受けたときにシャッター５が外風の力をシャッター面で受けるため、シャッター取付枠６の方向へ向う力が発生する。このときに前記シャッター５と前記シャッター取付枠６に設けたリブ部８とが接触し合う箇所を平面と平面で合致することにより、面同士で合わさるため、外風の侵入を防ぐ遮閉効果の確実性が増すこととなる。
【００６１】
また、換気装置１７の内部に設けられた送風機が運転したときに、シャッター５に向って風が流れ、シャッター５のＲ部１０の形状が非対称になっており、シャッター５に向ってきた風がシャッター取付枠６に設けられたＲ部１０に合わせた形状部に当たったときにＲ半径が大きい方の形状に沿って流れ、シャッター支持軸９に対して距離が大きい部分のシャッター５面に風が集中するようになり、風圧によって発生するシャッター５を開かせる力、すなわちトルクが大きくなり、シャッター５が開き易くなる、すなわちシャッター５が開く際の抵抗を小さくすることとなる。
【００６２】
また、外風を受けて、シャッター５が閉鎖するときに前記シャッター５とシャッター取付枠６に設けられたリブ部８とが当接する際に発生する衝突音が、柔軟な材質であるパッキンが前記シャッター５とシャッター取付枠６に設けられたリブ部８との間に介在することで衝突音を緩衝することとなる。
【００６３】
また、シャッター装置１９の流出側接続口３から侵入する外風を防止するシャッター５が樹脂製であれば、樹脂成形において使用する樹脂材料は、ほぼシャッター５と同体積の量で作成することができ、廃材料が少くなり、安価なシャッター装置１９になる。
【００６４】
また、流出側接続口３から侵入する外風を防止するシャッター５を取り付けるシャッター取付枠６をシャッター取付部４に一体として形状を形成すると、シャッター取付枠６とシャッター取付部４とが一つの構成部品となり、部品数を少なくとも１つ減らすことができ、組立における取り付け工程も少なくとも１部品分は少なくなり、組立工数の少ないシャッター装置１９になる。例えば、樹脂材料で、シャッター取付枠６をシャッター取付部４と一体形状で成形したものである。
【産業上の利用可能性】
【００６５】
屋内と屋外を連通する換気または空調機能をもつ装置および換気、送風、空調を目的に使用する外風防止用シャッターを要する機器を対象に適用することができる。
【図面の簡単な説明】
【００６６】
【図１】本発明の実施の形態１のシャッター装置の構成を示す斜視図
【図２】同シャッター装置の構成および形状を示す断面図
【図３】同シャッター装置のシャッターが開いた状態の構成および形状を示す正面図
【図４】同シャッター装置の設置状況を示す断面図
【図５】同シャッター装置のシャッター支持軸およびシャッター支持軸挿入状況を示す断面図
【図６】従来のシャッター装置の構成および形状を示す構成図
【図７】同シャッター装置の構成および形状を示す正面図
【符号の説明】
【００６７】
１    流入側接続口
２    ダクト
３    流出側接続口
４    シャッター取付部
５    シャッター
６    シャッター取付枠
７    湾曲形状部
８    リブ部
９    シャッター支持軸
１０  Ｒ部
１１  当接リブ部
１２  天井裏
１３  吸込口
１４  天井張り板
１５  埋め込み口
１６  屋外
１７  換気装置
１８  天井壁
１９  シャッター装置
２０  バーリング形状
２１  挿入孔
【図１】
2008070048.tif 000003
【図２】
2008070048.tif 000004
【図３】
2008070048.tif 000005
【図４】
2008070048.tif 000006
【図５】
2008070048.tif 000007
【図６】
2008070048.tif 000008
【図７】
2008070048.tif 000009